(57)【特許請求の範囲】
【請求項１】
電子機器に電力を供給するＡＣ電源アダプターの電源ケーブルの保護器であって、
前記電子機器にＤＣ電圧を供給する端子であるＤＣプラグ部と
前記電子機器から発生する高周波ノイズを除去するノイズフィルターとを接続するＤＣケーブルの屈曲、断線を防止するケーブル保護部を一体成型することを特徴とするケーブル保護器。
【請求項２】
請求項１に記載のケーブル保護器と、
前記ＤＣプラグ部の樹脂モールドと、
前記ノイズフィルターの樹脂モールドと、
前記ノイズフィルターの前記ＤＣプラグ部に接続される他端側のＤＣケーブルを保護するケーブル保護部と、を一体成型することを特徴とするケーブル保護器。
【請求項３】
少なくとも
前記ＤＣプラグ部と、
前記ノイズフィルターと、
交流電圧を直流電圧に変換するＡＣ／ＤＣ変換部と、
請求項１乃至請求項２に記載のケーブル保護器と、
を備えたことを特徴とするＡＣ電源アダプター。
【発明の詳細な説明】
【技術分野】
【０００１】
本発明は、ケーブルの出口部分の断線を防止するケーブル保護器に関するものである。
【背景技術】
【０００２】
近年、様々な携帯型機器が普及しているが、一方でそれに接続するアクセサリー機器、周辺機器もそれに伴って需要が多くなっている。
【０００３】
以下、その一例である携帯型パーソナルコンピュータ（以下、ノートパソコン）とアクセサリー機器であるＡＣ電源アダプター（以下、ＡＣアダプター）を例に採って従来のケーブル保護器の態様について述べる。
【０００４】
図２は従来のノートパソコンとＡＣアダプターを接続した図を示すものである。
【０００５】
図２において、１１はノートパソコンある。１２は交流（ＡＣ）電圧を直流（ＤＣ）電圧に変換するＡＣ／ＤＣ変換部であり、ここでＡＣ１００〜２４０Ｖの電圧を約１６ＶのＤＣ電圧に変換している。１３はＤＣプラグ部でノートパソコン１１にＤＣ電圧を供給する端子である。１４はフェライトをコアにしたノイズフィルターであり、ノートパソコン１１から発生する高周波ノイズを除去するもので、ＡＣプラグ１５を介してＡＣコンセントを伝わって他の電気機器に影響しないように、あるいは人体に悪い影響を及ぼさないようにしたものである。
【０００６】
図３は図２におけるＤＣプラグ１３とノイズフィルター１４を示した図である。また、１６−１，１６−２はＤＣケーブル、１７−１、１７−２，１７−３はＤＣケーブル１６−１，１６−２がＤＣプラグ１３、またはノイズフィルター１４の端で屈曲し断線するのを防止するスリーブ状のケーブル保護部であり、この部分には均一に多数のスリットを形成して曲げやすい蛇腹構造にしている。
【０００７】
ノイズフィルター１４は前述したように、ノートパソコン１１をノイズ源とする高周波ノイズを除去するもので、ノイズ源であるノートパソコン１１本体のできる限り近い位置に配置するのが望ましい。
【特許文献１】特開平１１ー５４２０２号公報
【発明の開示】
【発明が解決しようとする課題】
【０００８】
しかしながら上記図３の従来の構成では、ノイズフィルター１４をＤＣプラグ１３の近い位置に配置しているために、特にＤＣケーブル１６−１において、ＤＣプラグ１３とノイズフィルター１４の中間のほぼ同じ位置で屈曲し易い部分が常に発生し断線、故障の原因となるという問題点を有していた。
【０００９】
本発明は上記従来の問題点を解決するもので、ＤＣプラグ１３とノイズフィルター１４の端付近でのＤＣケーブル１６−１の断線を防止する電源ケーブルのケーブル保護器を提供することを目的とする。
【課題を解決するための手段】
【００１０】
本発明の請求項１に記載の発明は、
電子機器に電力を供給するＡＣ電源アダプターの電源ケーブルの保護器であって、
前記電子機器にＤＣ電圧を供給する端子であるＤＣプラグ部と
前記電子機器から発生する高周波ノイズを除去するノイズフィルターとを接続するＤＣケーブルの屈曲、断線を防止するケーブル保護部を一体成型することを特徴とするケーブル保護器としたものであり、
当該ケーブル保護器により、ＤＣケーブルにおけるＤＣプラグとノイズフィルターの中間の屈曲し易すい部分を無くすることで断線の原因は解消でき、ケーブルの耐久性は向上するという作用を有する。
【発明の効果】
【００１１】
以上のように本発明のケーブル保護器により、ＤＣケーブルにおけるＤＣプラグとノイズフィルターの中間の屈曲し易すい部分を無くすることで断線の原因は解消でき、ケーブルの耐久性は向上するという優れた効果が得られる。
【発明を実施するための最良の形態】
【００１２】
以下、本発明の実施の形態について、図１を用いて説明する。
【００１３】
（実施の形態１）
図１は本発明の電源ケーブルのケーブル保護器とＤＣプラグ、ノイズフィルターを示す正面図と側面図である。
【００１４】
図１において、１３はＤＣプラグ部でノートパソコン１１にＤＣ電圧を供給する端子である。１４はフェライトをコアにしたノイズフィルターであり、ノートパソコン１１から発生する高周波ノイズを除去するもので、これに接続されるＡＣアダプターのＡＣ／ＤＣ変換部、ＡＣプラグを介してＡＣコンセントを伝わって他の電気機器に影響しないように、あるいは人体に悪い影響を及ぼさないようにしたものである。１７−４はＤＣケーブル１６−２がノイズフィルター１４の端で屈曲し断線するのを防止するスリーブ状のケーブル保護部であり、この部分には均一に多数のスリットを形成して曲げやすい蛇腹構造にしている。
【００１５】
１８は図３におけるケーブル保護部１７−１、１７−２を一体成形した本発明の主要部であるケーブル保護器である。
【００１６】
以上のように構成されたケーブル保護器について、図１を用いてその詳細を説明する。図３におけるケーブル保護部１７−１、１７−２を一体成形したケーブル保護器１８とすることで、ＤＣケーブル１６−１におけるＤＣプラグ１３とノイズフィルター１４の中間のほぼ同じ位置で常に屈曲し易すい部分を無くすることで断線の原因は解消しケーブルの耐久性は向上する。ケーブル保護器１８とノイズフィルター１４のケーブル保護部１７−２の部分には均一に多数のスリットを形成して曲げやすい蛇腹構造にしている。
【００１７】
またＤＣプラグ１３の端子部１９とノイズフィルター１４の構成部品であるフェライトコア２０を絶縁体の樹脂でモールドする際に同じ材質の樹脂を用いて端子部１９、フェライトコア２０と、ＤＣプラグ１３とノイズフィルター１４との間のＤＣケーブル１６−１と、ケーブル保護部１７−４とを同時に一体成型することで製造工数をも削減できる。強いてはＡＣアダプターの品質向上、価格削減にもなる。
【００１８】
以上のように本実施の形態によれば、ケーブル保護器１８により、ＤＣケーブル１６−１におけるＤＣプラグ１３とノイズフィルター１４の中間の屈曲し易すい部分を無くすることで断線の原因は解消でき、ケーブルの耐久性は向上する。
【００１９】
また、ＤＣプラグ１３と、ノイズフィルター１４と、ＤＣプラグ１３とノイズフィルター１４の間のＤＣケーブル１６−１と、ノイズフィルター１４のケーブル保護部１７−４を同時に一体成型することで製造工数をも削減できる。
【００２０】
なお、ケーブル保護器１８とノイズフィルター１４のケーブル保護部１７−２の部分には均一に多数のスリットを形成して曲げやすい蛇腹構造にするとしたが、このような構成に限ることはなく、柔軟性、弾力性のある材質の樹脂を用いてこれを成型することで曲げやすく、且つＤＣケーブルの断線を防止する同様の効果が得られる。
【産業上の利用可能性】
【００２１】
本発明にかかる電源ケーブルのケーブル保護器は、ＤＣケーブルにおけるＤＣプラグとノイズフィルターの中間の屈曲し易すい部分を無くすることで断線の原因は解消でき、ケーブルの耐久性は向上するという効果を有し、ケーブルの出口部分の断線を防止するケーブル保護器等として有用である。
【図面の簡単な説明】
【００２２】
【図１】本発明の電源ケーブルのケーブル保護器とＤＣプラグ、ノイズフィルターを示す正面図と側面図
【図２】従来のノートパソコンとＡＣアダプターを接続した図
【図３】図２におけるＤＣプラグとノイズフィルターを示した図
【符号の説明】
【００２３】
１１  ノートパソコン
１２  ＡＣ／ＤＣ変換部
１３  ＤＣプラグ部
１４  ノイズフィルター
１５  ＡＣプラグ
１６−１，１６−２  ＤＣケーブル
１７−１、１７−２，１７−３、１７−４  ケーブル保護部
１８  ケーブル保護器
１９  ＤＣプラグの端子部
２０  フェライトコア
【図１】
0004660371.tif 000002
【図２】
0004660371.tif 000003
【図３】
0004660371.tif 000004